(57)【要約】【課題】  新たな機構を設けることなく情報の漏洩が無い指紋認証を行う。【解決手段】  指紋読取装置１０２の指紋読取部２０１にて読み取られた指紋情報が送信部２０２によってＩＣカードリーダライタ１０４を介してＩＣカード１０３に送信され、ＩＣカード１０３にて格納されている指紋データと送信されてきた指紋情報とが照合され、照合された照合結果がＩＣカードリーダライタ１０４を介して上位装置１０１へ送信される。【選択図】図１
2006244224.tif 000002
【特許請求の範囲】
【請求項１】
ＩＣカードを用いて指紋認証を行う指紋認証システムであって、
指紋情報を読み取る指紋読取装置と、
前記指紋読取装置にて読み取られた指紋情報を前記ＩＣカードに送信するＩＣカード読み書き装置とを有し、
前記ＩＣカードは、前記ＩＣカード読み書き装置から送信されてきた指紋情報と予め格納された指紋データとを照合し、照合した照合結果を前記ＩＣカード読み書き装置へ送信する指紋認証システム。
【請求項２】
請求項１に記載の指紋認証システムにおいて、
前記指紋読取装置は、
指紋情報を読み取る指紋読取手段と、
前記指紋読取手段によって読み取られた指紋情報を前記ＩＣカード読み書き装置へ送信する送信手段とを有し、
前記ＩＣカードは、
前記指紋データが格納されている情報記憶手段と、
前記情報記憶手段に格納された指紋データと前記指紋読取手段にて送信された指紋情報とを照合する制御手段と、
前記制御手段によって照合された照合結果を前記ＩＣカード読み書き装置へ送信する通信手段とを有することを特徴とする指紋認証システム。
【請求項３】
請求項１または請求項２に記載の指紋認証システムにおいて、
前記制御手段は、２つの動作モードを有し、該２つの動作モードのうち一方の動作モードが設定された場合、前記指紋情報を指紋データとして前記情報記憶手段に格納することを特徴とする指紋認証システム。
【請求項４】
請求項１乃至３のいずれか１項に記載の指紋認証システムにおいて、
前記情報記憶手段は、前記指紋データに対応する付加データが前記指紋データと併せて格納され、
前記通信手段は、前記照合結果と当該照合に用いた指紋データに対応する付加データとを前記ＩＣカード読み書き装置へ送信することを特徴とする指紋認証システム。
【請求項５】
指紋読取装置にて読み取られた指紋情報による指紋認証に用いられるＩＣカードであって、
予め登録された指紋データが格納されている情報記憶手段と、
前記情報記憶手段に格納された指紋データと前記指紋読取装置にて読み取られた指紋情報とを照合する制御手段と、
前記制御手段によって照合された照合結果を出力する通信手段とを有するＩＣカード。
【請求項６】
請求項５に記載のＩＣカードにおいて、
前記制御手段は、２つの動作モードを有し、該２つの動作モードのうち一方の動作モードが設定された場合、前記指紋情報を指紋データとして前記情報記憶手段に格納することを特徴とするＩＣカード。
【請求項７】
請求項５または請求項６に記載のＩＣカードにおいて、
前記情報記憶手段は、前記指紋データに対応する付加データが前記指紋データと併せて格納され、
前記通信手段は、前記照合結果と当該照合に用いた指紋データに対応する付加データとを前記ＩＣカード読み書き装置へ送信することを特徴とするＩＣカード。
【請求項８】
ＩＣカードを用いて指紋認証を行う指紋認証方法であって、
指紋情報を読み取る処理と、
前記読み取られた指紋情報を前記ＩＣカードに送信する処理と、
前記送信された指紋情報を前記ＩＣカードにて受信する処理と、
前記受信された指紋情報と予め登録された指紋データとを前記ＩＣカードにて照合する処理と、
前記照合された照合結果を前記ＩＣカードから出力する処理とを有する指紋認証方法。
【請求項９】
請求項８に記載の指紋認証方法において、
前記ＩＣカードは２つの動作モードを有し、該２つの動作モードのうち一方の動作モードが設定された場合、前記指紋情報を指紋データとして前記ＩＣカードに格納する処理を有することを特徴とする指紋認証方法。
【請求項１０】
請求項８または請求項９に記載の指紋認証方法において、
前記指紋データに対応する付加データを前記指紋データと併せて前記ＩＣカードに格納し、前記照合結果と当該照合に用いた指紋データに対応する付加データとを前記ＩＣカードから出力することを特徴とする指紋認証方法。
【発明の詳細な説明】
【技術分野】
【０００１】
本発明は、ＩＣカードを用いて指紋認証を行う指紋認証システム、ＩＣカード及び指紋認証方法に関する。
【背景技術】
【０００２】
従来より、ＩＣカードを記憶媒体として用いた指紋認証システムにおいては、作業者が指を指紋読取装置に直接当てることにより、指紋読取装置によってその指紋情報が読み取られ、読み取られた指紋情報が指紋読取装置にから上位装置へ送信され、また、ＩＣカード内の記憶部に格納された指紋データがＩＣカードリーダライタによって読み出され、ＩＣカードリーダライタから上位装置へ送信され、上位装置にて受信された指紋情報と指紋データとが照合されることにより、当該作業者の認証が行われている。
【０００３】
しかし、ＩＣカードに格納されている情報が外部へ送信されるため、個人情報が漏洩してしまう可能性がある。
【０００４】
そこで、ＩＣカード自体に指紋を読み取る機構を設け、ＩＣカード内部において、読み取られた指紋情報と格納されている指紋データとの照合を行い、その照合結果のみをＩＣカードリーダライタを介して上位装置へ送信する方法が考えられている（例えば、特許文献１〜３参照。）。
【特許文献１】特開２００１−００５９４５号公報
【特許文献２】特開２００２−３１２７３２号公報
【特許文献３】特開２００３−２４２４６４号公報
【発明の開示】
【発明が解決しようとする課題】
【０００５】
しかしながら、特許文献１〜３に記載されているような方法においては、個人情報の漏洩を防止するためにはＩＣカードに指紋を読み取る機構を新たに設けなければならないという問題点がある。
【０００６】
本発明は、上述したような従来の技術が有する問題点に鑑みてなされたものであって、ＩＣカードに新たな機構を設けることなく情報の漏洩が無い指紋認証を行うことができる指紋認証システム、ＩＣカード及び指紋認証方法を提供することを目的とする。
【課題を解決するための手段】
【０００７】
上記目的を達成するために本発明は、
ＩＣカードを用いて指紋認証を行う指紋認証システムであって、
指紋情報を読み取る指紋読取装置と、
前記指紋読取装置にて読み取られた指紋情報を前記ＩＣカードに送信するＩＣカード読み書き装置とを有し、
前記ＩＣカードは、前記ＩＣカード読み書き装置から送信されてきた指紋情報と予め格納された指紋データとを照合し、照合した照合結果を前記ＩＣカード読み書き装置へ送信する。
【０００８】
また、前記指紋読取装置は、
指紋情報を読み取る指紋読取手段と、
前記指紋読取手段によって読み取られた指紋情報を前記ＩＣカード読み書き装置へ送信する送信手段とを有し、
前記ＩＣカードは、
前記指紋データが格納されている情報記憶手段と、
前記情報記憶手段に格納された指紋データと前記指紋読取手段にて送信された指紋情報とを照合する制御手段と、
前記制御手段によって照合された照合結果を前記ＩＣカード読み書き装置へ送信する通信手段とを有することを特徴とする。
【０００９】
また、前記制御手段は、２つの動作モードを有し、該２つの動作モードのうち一方の動作モードが設定された場合、前記指紋情報を指紋データとして前記情報記憶手段に格納することを特徴とする。
【００１０】
また、前記情報記憶手段は、前記指紋データに対応する付加データが前記指紋データと併せて格納され、
前記通信手段は、前記照合結果と当該照合に用いた指紋データに対応する付加データとを前記ＩＣカード読み書き装置へ送信することを特徴とする。
【００１１】
また、指紋読取装置にて読み取られた指紋情報による指紋認証に用いられるＩＣカードであって、
予め登録された指紋データが格納されている情報記憶手段と、
前記情報記憶手段に格納された指紋データと前記指紋読取装置にて読み取られた指紋情報とを照合する制御手段と、
前記制御手段によって照合された照合結果を出力する通信手段とを有する。
【００１２】
また、前記制御手段は、２つの動作モードを有し、該２つの動作モードのうち一方の動作モードが設定された場合、前記指紋情報を指紋データとして前記情報記憶手段に格納することを特徴とする。
【００１３】
また、前記情報記憶手段は、前記指紋データに対応する付加データが前記指紋データと併せて格納され、
前記通信手段は、前記照合結果と当該照合に用いた指紋データに対応する付加データとを前記ＩＣカード読み書き装置へ送信することを特徴とする。
【００１４】
また、ＩＣカードを用いて指紋認証を行う指紋認証方法であって、
指紋情報を読み取る処理と、
前記読み取られた指紋情報を前記ＩＣカードに送信する処理と、
前記送信された指紋情報を前記ＩＣカードにて受信する処理と、
前記受信された指紋情報と予め登録された指紋データとを前記ＩＣカードにて照合する処理と、
前記照合された照合結果を前記ＩＣカードから出力する処理とを有する。
【００１５】
また、前記ＩＣカードは２つの動作モードを有し、該２つの動作モードのうち一方の動作モードが設定された場合、前記指紋情報を指紋データとして前記ＩＣカードに格納する処理を有することを特徴とする。
【００１６】
また、前記指紋データに対応する付加データを前記指紋データと併せて前記ＩＣカードに格納し、前記照合結果と当該照合に用いた指紋データに対応する付加データとを前記ＩＣカードから出力することを特徴とする。
【００１７】
上記のように構成された本発明においては、指紋読取装置にて読み取られた指紋情報がＩＣカード読み書き装置を介してＩＣカードに送信され、ＩＣカードにて格納されている指紋データと送信されてきた指紋情報とが照合され、照合された照合結果がＩＣカードから送信される。
【００１８】
これにより、個人情報である指紋データを外部へ送信する必要がなくなるため、個人情報の漏洩を防ぐことができる。また、指紋読取装置にて指紋が読み取られるため、指紋を読み取る機構を有しないＩＣカードを用いた場合であっても、上述した指紋認証を行うことができる。
【発明の効果】
【００１９】
以上説明したように本発明においては、指紋読取装置にて読み取られた指紋情報がＩＣカード読み書き装置を介してＩＣカードに送信され、ＩＣカードにて格納されている指紋データと送信されてきた指紋情報とが照合され、照合された照合結果がＩＣカードから送信される構成としたため、ＩＣカードに新たな機構を設けることなく情報の漏洩が無い指紋認証を行うことができる。
【発明を実施するための最良の形態】
【００２０】
以下に、本発明の実施の形態について図面を参照して説明する。
【００２１】
図１は、本発明の指紋認証システムの実施の一形態を示す図である。
【００２２】
本形態は図１に示すように、指紋情報を読み取り、読み取られた指紋情報を送信する指紋読取装置１０２と、指紋データ及び制御プログラムが格納され、指紋読取装置１０２から送信された指紋情報と格納されている指紋データとを照合するＩＣカード１０３と、ＩＣカード１０３との間にてデータの送受信を行い、指紋読取装置１０２から送信された指紋情報を受信してＩＣカード１０３に送信するＩＣカード読み書き装置であるＩＣカードリーダライタ１０４と、ＩＣカード１０３からＩＣカードリーダライタ１０４を介して送信されたデータを受信して処理する上位装置１０１とから構成されている。
【００２３】
さらに、指紋読取装置１０２は、作業者が指を直接当てることにより当該作業者の指紋情報を読み取る指紋読取部２０１と、指紋読取部２０１によって読み取られた指紋情報をＩＣカードリーダライタ１０４へ送信する送信部２０２とから構成されている。
【００２４】
また、ＩＣカード１０３は、ＩＣカードリーダライタ１０４から電力及びクロックの供給を受けると共に、ＩＣカードリーダライタ１０４との間にてデータの送受信を行う通信部３０３と、予め登録された指紋データ等が格納されている情報記憶部３０１と、ＩＣカード１０３内全体を制御する制御部３０４と、制御部３０４を動作させる制御プログラムが格納されている制御プログラム記憶部３０２とから構成されている。なお、ＩＣカード１０３とＩＣカードリーダライタ１０４との通信方式は、接触方式と非接触方式とのいずれでも構わない。また、ＩＣカード１０３については、作業者が常に所持しているものとする。
【００２５】
ここで、ＩＣカード１０３とＩＣカードリーダライタ１０４との間にてデータの送受信が行われる際のＩＣカード１０３とＩＣカードリーダライタ１０４との状態は、ＩＣカード１０３とＩＣカードリーダライタ１０４との通信方式が接触方式である場合は、ＩＣカード１０３がＩＣカードリーダライタ１０４に接触している状態であり、また、ＩＣカード１０３とＩＣカードリーダライタ１０４との接続方式が非接触方式である場合は、作業者がＩＣカード１０３をＩＣカードリーダライタ１０４にかざした際にＩＣカード１０３とＩＣカードリーダライタ１０４との間にてデータが送受信されることができる距離にＩＣカード１０３とＩＣカードリーダライタ１０４とが近づいている状態である。
【００２６】
以下に、上記のように構成された指紋認証システムにおける指紋認証方法についてシーケンス図を参照して説明する。まずは、図１に示した指紋認証システムが、関係者以外立ち入り禁止の場所等の場所の入り口のドアの開錠処理に用いられる場合の指紋認証方法について説明する。この場合、図１に示した上位装置１０１はドア開錠装置となる。
【００２７】
まず、予め行われる初期設定として、図１に示したＩＣカード１０３内の制御部３０４を動作させる制御プログラムが制御プログラム記憶部３０２に格納され、また、作業者の指紋データが情報記憶部３０１に格納される。
【００２８】
制御プログラムについては、上位装置１０１からＩＣカードリーダライタ１０４を介してＩＣカード１０３へダウンロードされ、制御プログラム記憶部３０２に格納される。
【００２９】
指紋データの格納については、以下に説明する。ここで、ＩＣカード１０３の動作モードとして、指紋データをＩＣカード１０３内の情報記憶部３０１に書き込む処理が行われる第１の動作モードである指紋書き込みモードと、通常に指紋認証処理が行われる第２の動作モードである通常モードとのいずれかが設定可能とされており、初期状態では通常モードが設定されている。なお、上述した初期設定の際に使用する指紋読取装置１０２及びＩＣカードリーダライタ１０４については、入り口のドア付近に設置されたものを使用しても良いし、別の場所に設置されたものを使用しても良い。また、ＩＣカード１０３をＩＣカードリーダライタ１０４との間にてデータの送受信が可能な状態に置いておく必要がある。
【００３０】
図２は、図１に示した指紋認証システムにおいて、指紋データが図１に示した情報記憶部３０１に格納される処理の一例を説明するためのシーケンス図である。
【００３１】
ＩＣカード１０３の動作モードを通常モードから指紋書き込みモードへ変更するために上位装置１０１からＩＣカードリーダライタ１０４へモード変更指示信号が送信される（ステップＳ１）。そして、ＩＣカードリーダライタ１０４にて受信されたモード変更指示信号がＩＣカード１０３へ送信され、ＩＣカードリーダライタ１０４からＩＣカード１０３へ電力及びクロックが供給されると共に、送信されたモード変更指示信号がＩＣカード１０３にて受信される（ステップＳ２）。
【００３２】
すると、ＩＣカード１０３内の制御部３０４によって、ＩＣカード１０３の動作モードが指紋書き込みモードに設定される（ステップＳ３）。
【００３３】
次に、作業者が指紋読取装置１０２の指紋読取部２０１に指を当てると、指紋読取部２０１によって作業者の指紋情報が読み取られる（ステップＳ４）。指紋読取部２０１によって読み取られた指紋情報は、送信部２０２を介して、ＩＣカードリーダライタ１０４へ送信される（ステップＳ５）。そして、送信された指紋情報がＩＣカードリーダライタ１０４にて受信された後、受信された指紋情報がＩＣカードリーダライタ１０４からＩＣカード１０３へ送信され（ステップＳ６）、ＩＣカードリーダライタ１０４から送信された指紋情報がＩＣカード１０３の通信部３０３にて受信され、受信された指紋情報が制御部３０４によって、予め登録される指紋データとして情報記憶部３０１に格納される（ステップＳ７）。
【００３４】
その後、ＩＣカード１０３の動作モードを指紋書き込みモードから通常モードへ戻すために、上位装置１０１からＩＣカードリーダライタ１０４へモード変更指示信号が送信され（ステップＳ８）、ＩＣカードリーダライタ１０４にて受信されたモード変更指示信号がＩＣカード１０３へ送信され、ＩＣカードリーダライタ１０４からＩＣカード１０３へ送信されたモード変更指示信号がＩＣカード１０３にて受信される（ステップＳ９）。
【００３５】
すると、ＩＣカード１０３内の制御部３０４によって、ＩＣカード１０３の動作モードが通常モードに設定される（ステップＳ１０）。また、ステップＳ７における情報記憶部３０１への指紋データの格納が終了した後、ＩＣカード１０３の動作モードが制御部３０４によって通常モードに設定されても良い。
【００３６】
図３は、図１に示した指紋認証システムが、関係者以外立ち入り禁止の場所等の場所の入り口のドアの開錠処理に用いられる場合の指紋認証方法の一例を説明するためのシーケンス図である。
【００３７】
上述した初期設定が完了すると、指紋認証処理が可能となる。ここで、指紋認証処理を行う指紋読取装置１０２及びＩＣカードリーダライタ１０４については、入り口のドア付近に設置されたものを使用する。
【００３８】
入り口のドア付近に設置された指紋読取装置１０２の指紋読取部２０１に作業者が指を当てると、指紋読取部２０１によって作業者の指紋情報が読み取られる（ステップＳ２１）。指紋読取部２０１によって読み取られた指紋情報は、送信部２０２を介して、入り口のドア付近に設置されたＩＣカードリーダライタ１０４へ送信される（ステップＳ２２）。
【００３９】
送信された指紋情報がＩＣカードリーダライタ１０４にて受信された後、所定の時間内に作業者がＩＣカード１０３をＩＣカードリーダライタ１０４との間にてデータの送受信が可能な状態に置くと、ＩＣカードリーダライタ１０４からＩＣカード１０３へ電力及びクロックが供給されると共に、ＩＣカードリーダライタ１０４にて受信された指紋情報がＩＣカード１０３へ送信される（ステップＳ２３）。
【００４０】
ＩＣカードリーダライタ１０４からＩＣカード１０３へ電力及びクロックが供給されると、制御部３０４が起動し、制御プログラム記憶部３０２に格納されていた制御プログラムが読み出されて実行される。そして、ＩＣカード１０３の通信部３０３にてＩＣカードリーダライタ１０４から送信された指紋情報が受信され、制御部３０４によって情報記憶部３０１に格納されている指紋データが読み出される（ステップＳ２４）。そして、情報記憶部３０１から読み出された指紋データと通信部３０３にて受信された指紋情報とが制御部３０４によって照合される（ステップＳ２５）。
【００４１】
ステップＳ２５にて照合された照合結果が、通信部３０３を介してＩＣカードリーダライタ１０４へ送信され（ステップＳ２６）、制御プログラムの実行が終了する。そして、ＩＣカードリーダライタ１０４にて受信された照合結果がＩＣカードリーダライタ１０４から上位装置１０１へ送信される（ステップＳ２７）。
【００４２】
そして、ＩＣカードリーダライタ１０４から送信された照合結果が上位装置１０１にて受信され、受信された照合結果がＯＫである場合は、上位装置１０１によって入り口のドアが開錠される（ステップＳ２８）。一方、受信された照合結果がＮＧである場合は、入り口のドアは開錠されない。
【００４３】
次に、図１に示した指紋認証システムが、パソコンのログイン処理に用いられる場合の指紋認証方法について説明する。ここでは、使用されるＩＣカードが複数の作業者によって使用される場合を例に挙げて説明する。この場合、図１に示した上位装置１０１はパソコンとなる。
【００４４】
まず、予め行われる初期設定については、上述した例にて説明した初期設定と同様であるが、以下に説明する例では、情報記憶部３０１には複数の指紋データが格納され、さらに、それぞれの指紋データに対応した付加データであるパソコンの使用範囲（使用可能なアプリケーションやユーザアカウント等の制限）データについても上位装置１０１からの入力によって、指紋データと併せて情報記憶部３０１に格納される。なお、上述した初期設定の際に使用する指紋読取装置１０２及びＩＣカードリーダライタ１０４については、使用するパソコン付近に設置されたものを使用しても良いし、別の場所に設置されたものを使用しても良い。また、ＩＣカード１０３をＩＣカードリーダライタ１０４との間にてデータの送受信が可能な状態に置いておく必要がある。
【００４５】
図４は、図１に示した指紋認証システムが、パソコンのログイン処理に用いられる場合の指紋認証方法の一例を説明するためのシーケンス図である。
【００４６】
上述した初期設定が完了すると、指紋認証処理が可能となる。ここで、指紋認証処理を行う指紋読取装置１０２及びＩＣカードリーダライタ１０４については、使用するパソコン付近に設置されたものを使用する。
【００４７】
使用するパソコン付近に設置された指紋読取装置１０２の指紋読取部２０１に作業者が指を当てると、指紋読取部２０１によって作業者の指紋情報が読み取られる（ステップＳ３１）。指紋読取部２０１によって読み取られた指紋情報は、送信部２０２を介して、使用するパソコン付近に設置されたＩＣカードリーダライタ１０４へ送信される（ステップＳ３２）。
【００４８】
送信された指紋情報がＩＣカードリーダライタ１０４にて受信された後、所定の時間内に作業者がＩＣカード１０３をＩＣカードリーダライタ１０４との間にてデータの送受信が可能な状態に置くと、ＩＣカードリーダライタ１０４からＩＣカード１０３へ電力及びクロックが供給されると共に、ＩＣカードリーダライタ１０４にて受信された指紋情報がＩＣカード１０３へ送信される（ステップＳ３３）。ここで、ＩＣカードリーダライタ１０４からＩＣカード１０３へ電力及びクロックが供給されると共に、指紋情報が送信される際のＩＣカードリーダライタ１０４とＩＣカード１０３との状態は、上述した初期設定時のＩＣカードリーダライタ１０４とＩＣカード１０３との状態と同様である。
【００４９】
ＩＣカードリーダライタ１０４からＩＣカード１０３へ電力及びクロックが供給されると、制御部３０４が起動し、制御プログラム記憶部３０２に格納されていた制御プログラムが読み出されて実行される。そして、ＩＣカード１０３の通信部３０３にてＩＣカードリーダライタ１０４から送信された指紋情報が受信され、制御部３０４によって情報記憶部３０１に格納されている指紋データが読み出される（ステップＳ３４）。そして、情報記憶部３０１から読み出された指紋データと通信部３０３にて受信された指紋情報とが制御部３０４によって照合される（ステップＳ３５）。
【００５０】
ステップＳ３５にて照合された結果がＯＫである場合、その指紋データに対応した使用範囲データが制御部３０４によって情報記憶部３０１から読み出される（ステップＳ３６）。
【００５１】
そして、照合された照合結果及びそれに対応した使用範囲データが、通信部３０３を介してＩＣカードリーダライタ１０４へ送信され（ステップＳ３７）、制御プログラムの実行が終了する。そして、ＩＣカードリーダライタ１０４にて受信された照合結果及び使用範囲データがＩＣカードリーダライタ１０４から上位装置１０１へ送信される（ステップＳ３８）。なお、照合された結果がＮＧである場合は、照合結果のみが送信される。
【００５２】
そして、ＩＣカードリーダライタ１０４から送信された照合結果及び使用範囲データが上位装置１０１にて受信され、受信された照合結果がＯＫである場合は、上位装置１０１によって使用範囲データが参照され、参照された使用範囲データに基づいた範囲でパソコンの使用が許可される（ステップＳ３９）。また、受信された照合結果がＮＧである場合は、パソコンの使用は一切許可されない。
【００５３】
なお、本形態においては、指紋認証システムが、関係者以外立ち入り禁止の場所等の入り口のドアの開錠処理に用いられる場合やパソコンのログイン処理に用いられる場合を例に挙げて説明したが、本システムは他に所定の場所への入退室管理や銀行の現金自動預け払い機における使用等、認証が必要な場面においての使用も考えられる。
【００５４】
また、指紋読取装置１０２とＩＣカードリーダライタ１０４とが一体化され、１つの装置として構成されている場合も考えられる。
【００５５】
また、以上説明した指紋認証以外にも、顔認証や虹彩認証においても同様の処理が可能であることは言うまでもない。
【図面の簡単な説明】
【００５６】
【図１】本発明の指紋認証システムの実施の一形態を示す図である。
【図２】図１に示した指紋認証システムにおいて、指紋データが図１に示した情報記憶部に格納される処理の一例を説明するためのシーケンス図である。
【図３】図１に示した指紋認証システムが、関係者以外立ち入り禁止の場所等の場所の入り口のドアの開錠処理に用いられる場合の指紋認証方法の一例を説明するためのシーケンス図である。
【図４】図１に示した指紋認証システムが、パソコンのログイン処理に用いられる場合の指紋認証方法の一例を説明するためのシーケンス図である。
【符号の説明】
【００５７】
１０１    上位装置
１０２    指紋読取装置
１０３    ＩＣカード
１０４    ＩＣカードリーダライタ
２０１    指紋読取部
２０２    送信部
３０１    情報記憶部
３０２    制御プログラム記憶部
３０３    通信部
３０４    制御部
【図１】
2006244224.tif 000003
【図２】
2006244224.tif 000004
【図３】
2006244224.tif 000005
【図４】
2006244224.tif 000006